【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
移動体（１）に搭載され、投影部材（３）に画像（ＩＭ）を投影することにより、乗員により視認可能な虚像（ＶＩ，ＶＩａ，ＶＩｂ）を表示するヘッドアップディスプレイ装置であって、
互いに波長が異なる複数のレーザ光束を重ね合わせて投射するレーザ投射部（１０）と、
前記レーザ投射部からの前記レーザ光束を走査する走査部（２０）と、
前記走査部に走査された前記レーザ光束の入射により、前記画像が描画されるスクリーン部材（５０）と、
前記走査部と前記スクリーン部材との間の光路上に配置され、全体として正の屈折力を有し、前記スクリーン部材への前記レーザ光束の入射角を屈折により調整する屈折素子部（３０）と、を備え、
前記屈折素子部は、
正の屈折力を有する正レンズ部（３４）と、
前記正レンズ部よりも高分散の媒質により形成され、負の屈折力を有する負レンズ部（３２）と、を有し、
前記投影部材は、前記乗員側を向く表面（３ａ）及び前記表面の反対側を向く裏面（３ｂ）を有する透光性の板状に形成され、
前記表面での反射による前記虚像（ＶＩａ）に対して前記裏面での反射による前記虚像（ＶＩｂ）がずれる方向をずれ平行方向（Ｄｄ１）と、前記ずれ平行方向と垂直な方向をずれ垂直方向（Ｄｄ２）と定義すると、
前記スクリーン部材に描画される画像の前記レーザ光束において、前記ずれ垂直方向に対応する方向における色収差（Ｃ２）は、前記ずれ平行方向に対応する方向における色収差（Ｃ１）よりも小さいヘッドアップディスプレイ装置。
【請求項２】
前記屈折素子部の前記ずれ垂直方向に対応する方向（ｘｌ）の焦点距離は、前記屈折素子部の前記ずれ平行方向に対応する方向（ｙｌ）の焦点距離よりも長い請求項１に記載のヘッドアップディスプレイ装置。
【請求項３】
前記スクリーン部材に描画される画像を拡大して前記投影部材へ導光する導光部（６０）をさらに備え、
前記スクリーン部材に描画される画像に対して、前記虚像が前記導光部及び前記投影部材により拡大される倍率のうち前記ずれ平行方向の倍率をＭ１とすると、
前記スクリーン部材に描画される画像の前記レーザ光束において、前記ずれ平行方向に対応する方向における色収差は、前記表面及び前記裏面の反射による前記虚像間のずれ量（Ｌｄ）を前記倍率Ｍ１で除算した値よりも小さい請求項１又は２に記載のヘッドアップディスプレイ装置。
【請求項４】
移動体（１）としての車両のインストルメントパネル（２）に搭載され、投影部材（３）に画像（ＩＭ）を投影することにより、乗員により視認可能な虚像（ＶＩ，ＶＩａ，ＶＩｂ）を表示するヘッドアップディスプレイ装置であって、
互いに波長が異なる複数のレーザ光束を重ね合わせて投射するレーザ投射部（１０）と、
前記レーザ投射部からの前記レーザ光束を走査する走査部（２０）と、
前記走査部に走査された前記レーザ光束の入射により、前記画像が描画されるスクリーン部材（５０）と、
前記走査部と前記スクリーン部材との間の光路上に配置され、全体として正の屈折力を有し、前記スクリーン部材への前記レーザ光束の入射角を屈折により調整する屈折素子部（３０）と、を備え、
前記屈折素子部は、
正の屈折力を有する正レンズ部（３４）と、
前記正レンズ部よりも高分散の媒質により形成され、負の屈折力を有する負レンズ部（３２）と、を有し、
前記投影部材は、前記インストルメントパネルよりも前記車両の上方に位置し、前記乗員側を向く表面（３ａ）及び前記表面の反対側を向く裏面（３ｂ）を有する透光性の板状に形成され、
前記画像が虚像表示されるときに前記画像において前記車両の上下方向に沿う方向を画像上下方向（Ｄｉｙ）と、前記画像において前記画像上下方向と垂直な方向を画像左右方向（Ｄｉｘ）と、を定義すると、
前記スクリーン部材に描画される画像の前記レーザ光束において、前記画像左右方向における色収差（Ｃｘ）は、前記画像上下方向における色収差（Ｃｙ）よりも小さいヘッドアップディスプレイ装置。
【請求項５】
前記屈折素子部の前記画像左右方向に対応する方向（ｘｌ）の焦点距離は、前記屈折素子部の前記画像上下方向に対応する方向（ｙｌ）の焦点距離よりも長い請求項４に記載のヘッドアップディスプレイ装置。
【請求項６】
前記スクリーン部材に描画される画像を拡大して前記投影部材へ導光する導光部（６０）をさらに備え、
前記スクリーン部材に描画される画像に対して、前記虚像が前記導光部及び前記投影部材により拡大される倍率のうち前記画像上下方向の倍率をＭｙとすると、
前記スクリーン部材に描画される画像の前記レーザ光束において、前記画像上下方向における色収差は、前記表面及び前記裏面の反射による前記虚像間のずれ量（Ｌｄ）の前記画像上下方向成分を前記倍率Ｍｙで除算した値よりも小さい請求項４又は５に記載のヘッドアップディスプレイ装置。
【請求項７】
前記屈折素子部は、前記レーザ光束を屈折させる屈折面（３２ａ〜ｂ，３４ａ〜ｂ）を複数有し、
前記複数の屈折面のうち最も前記スクリーン部材側に配置される屈折面（３４ｂ）は、非球面である請求項１から６のいずれか１項に記載のヘッドアップディスプレイ装置。
【請求項８】
前記走査部と前記スクリーン部材との間の光路上に配置され、前記レーザ光束を反射する反射素子部（４０）をさらに備える請求項１から７のいずれか１項に記載のヘッドアップディスプレイ装置。
【請求項９】
前記屈折素子部は、前記走査部と前記反射素子部との間の光路上に配置される請求項８に記載のヘッドアップディスプレイ装置。
【手続補正２】
【補正対象書類名】明細書
【補正対象項目名】０００６
【補正方法】変更
【補正の内容】
【０００６】
開示されたひとつの発明は、移動体（１）に搭載され、投影部材（３）に画像（ＩＭ）を投影することに
より、乗員により視認可能な虚像（ＶＩ，ＶＩａ，ＶＩｂ）を表示するヘッドアップディ
スプレイ装置であって、
互いに波長が異なる複数のレーザ光束を重ね合わせて投射するレーザ投射部（１０）と
、
レーザ投射部からのレーザ光束を走査する走査部（２０）と、
走査部に走査されたレーザ光束の入射により、画像が描画されるスクリーン部材（５０
）と、
走査部とスクリーン部材との間の光路上に配置され、全体として正の屈折力を有し、ス
クリーン部材へのレーザ光束の入射角を屈折により調整する屈折素子部（３０）と、を備
え、
屈折素子部は、
正の屈折力を有する正レンズ部（３４）と、
正レンズ部よりも高分散の媒質により形成され、負の屈折力を有する負レンズ部（３２
）と、を有し、
投影部材は、乗員側を向く表面（３ａ）及び表面の反対側を向く裏面（３ｂ）を有する透光性の板状に形成され、
表面での反射による虚像（ＶＩａ）に対して裏面での反射による虚像（ＶＩｂ）がずれる方向をずれ平行方向（Ｄｄ１）と、ずれ平行方向と垂直な方向をずれ垂直方向（Ｄｄ２）と定義すると、
スクリーン部材に描画される画像のレーザ光束において、ずれ垂直方向に対応する方向における色収差（Ｃ２）は、ずれ平行方向に対応する方向における色収差（Ｃ１）よりも小さい。
また、開示された他のひとつの発明は、移動体（１）としての車両のインストルメントパネル（２）に搭載され、投影部材（３）に画像（ＩＭ）を投影することにより、乗員により視認可能な虚像（ＶＩ，ＶＩａ，ＶＩｂ）を表示するヘッドアップディスプレイ装置であって、
互いに波長が異なる複数のレーザ光束を重ね合わせて投射するレーザ投射部（１０）と、
レーザ投射部からのレーザ光束を走査する走査部（２０）と、
走査部に走査されたレーザ光束の入射により、画像が描画されるスクリーン部材（５０）と、
走査部とスクリーン部材との間の光路上に配置され、全体として正の屈折力を有し、スクリーン部材へのレーザ光束の入射角を屈折により調整する屈折素子部（３０）と、を備え、
屈折素子部は、
正の屈折力を有する正レンズ部（３４）と、
正レンズ部よりも高分散の媒質により形成され、負の屈折力を有する負レンズ部（３２）と、を有し、
投影部材は、インストルメントパネルよりも車両の上方に位置し、乗員側を向く表面（３ａ）及び表面の反対側を向く裏面（３ｂ）を有する透光性の板状に形成され、
画像が虚像表示されるときに画像において車両の上下方向に沿う方向を画像上下方向（Ｄｉｙ）と、画像において画像上下方向と垂直な方向を画像左右方向（Ｄｉｘ）と、を定義すると、
スクリーン部材に描画される画像のレーザ光束において、画像左右方向における色収差（Ｃｘ）は、画像上下方向における色収差（Ｃｙ）よりも小さい。